(57)【特許請求の範囲】
【請求項１】
プラスチック支柱１の下部近傍からは、互いに差し伸べ形成されたヒンジ梁11が成形されており、これら一対のヒンジ梁11・11の先端部分同士をヒンジ連結して成る一対のプラスチック支柱１・１は、ブロー成形された中空成形体であって、内部に液体や粒状体などの加重物を充填可能であると共に、
これら両支柱１・１の上部にはアッパーポールＰ1 を挟持するためのアッパーフック片12・12、および前記ヒンジ梁11・11の上面にはアンダーポールＰ2 を挟持するためのアンダーフック片13・13が設けられていて、前記ヒンジ連結部を枢軸として当該両支柱１・１の上部側を相寄り状態に衝合させたとき、前記アッパーフック片12・12はアッパーグリップ部Ｕを、同時に前記アンダーフック片13・13はアンダーグリップ部Ｄを形成し、かつ、これらのグリップ部Ｕ・Ｄを形成する一方側のフック片12・13の上端近傍には係止レバー21を設けて他方側の係止凹部22に係合可能な係止ストッパー機構２を構成したことを特徴とするバリケード用支持脚。
【請求項２】
一対のプラスチック支柱１・１が同一形状に作製されていることを特徴とする請求項１記載の記載のバリケード用支持脚。
【請求項３】
アッパーフック片12の凹部12ａまたはアンダーフック片13の凹部13ａに滑り止め材３が固定されていることを特徴とする請求項１または２記載のバリケード用支持脚。
【請求項４】
プラスチック支柱１の周壁の少なくとも一部に高輝度反射材４が付設されていることを特徴とする請求項１〜３の何れか一つに記載の記載のバリケード用支持脚。
【発明の詳細な説明】
【０００１】
【発明の属する技術分野】
本発明は、工事現場などに設置する移動用バリケードの改良、更に詳しくは、プラスチック成形によって軽量化し、しかも、クランプなどの連結部材を使用することなく簡単かつ確実に横架部材を固定することができるバリケード用支持脚に関するものである。
【０００２】
【従来の技術】
周知のとおり、道路工事や建設工事の現場においては、危険防止や部外者の侵入を阻止するために、立入り通行を阻止できる移動式のバリケードを臨時的に設置して立入り禁止区域を明示するという措置が採られる。
【０００３】
ところで、この種のバリケードは一寸した衝撃で倒れては困るので、一般的には鋼材を溶接して形成されるハードル形のフレームが使用されている。それゆえに従来の工事用バリケードは、重たくて嵩張っているために運搬や格納・保管するのに大変不便であった。
【０００４】
このような事情により、ポールなどの横架部材を一対の支持脚に組立・分解ができるような現場組立方式のバリケードが提案されており、このような従来のバリケードにおいては支持脚とポールとの固定の際に、別途クランプなどの連結部材を配設していた。
【０００５】
しかしながら、このような連結部材はポールの着脱の度に、止着ボルトを締めたり緩めたりせねばならず非常に面倒であり、また、繰り返して使用しているうちにこの連結部材が故障してしまい、ポールを固定できなくなってバリケード全体が機能しなくなってしまうという不都合があった。
【０００６】
【発明が解決しようとする課題】
本発明は、従来の工事用バリケードに上記のような不都合があったことに鑑みて為されたものであり、その目的とするところは、プラスチック成形によって軽量化し、しかも、クランプなどの連結部材を使用することなく簡単かつ確実に横架部材を固定することができるバリケード用支持脚を提供することにある。
【０００７】
【課題を解決するための手段】
本発明者が上記課題を解決するために採用した手段を添付図面を参照して説明すれば次のとおりである。
【０００８】
即ち、本発明は、プラスチック支柱１の下部近傍からは、互いに差し伸べ形成されたヒンジ梁11が成形されており、これら一対のヒンジ梁11・11の先端部分同士をヒンジ連結して成る一対のプラスチック支柱１・１から構成されるバリケード用の支持脚であって、
これら両支柱１・１の上部にはアッパーポールＰ1 を挟持するためのアッパーフック片12・12、および前記ヒンジ梁11・11の上面にはアンダーポールＰ2 を挟持するためのアンダーフック片13・13が設けられていて、前記ヒンジ連結部を枢軸として当該両支柱１・１の上部側を相寄り状態に衝合させたとき、前記アッパーフック片12・12はアッパーグリップ部Ｕを、同時に前記アンダーフック片13・13はアンダーグリップ部Ｄを形成し、かつ、これらのグリップ部Ｕ・Ｄを形成する一方側のフック片12・13の上端近傍には係止レバー21を設けて他方側の係止凹部22に係合可能な係止ストッパー機構２を構成するという技術的手段を採用した。
【０００９】
【００１０】
【００１１】
また、本発明は、上記課題を解決するために、必要に応じて上記手段に加え、一対のプラスチック支柱１・１を同一形状に作製するという技術的手段を採用した。
【００１２】
更にまた、本発明は、上記課題を解決するために、必要に応じて上記手段に加え、アッパーフック片12の凹部12ａまたはアンダーフック片13の凹部13ａに滑り止め材３を固定するという技術的手段を採用した。
【００１３】
更にまた、本発明は、上記課題を解決するために、必要に応じて上記手段に加え、プラスチック支柱１の周壁の少なくとも一部に高輝度反射材４を付設するという技術的手段を採用した。
【００１４】
【００１５】
【発明の実施の形態】
本発明の実施形態を具体的に図示した図面に基いて更に詳細に説明すると次のとおりである。
【００１６】
『第１実施形態』
本発明の第１実施形態を図１から図３に基いて説明する。図中、符号１で指示するものはプラスチック支柱であり、このプラスチック支柱１は使用材料として超高分子ポリエチレンを採用し、ブロー成形法によって中空に成形されている。
【００１７】
また、プラスチック支柱１の下部近傍からはヒンジ梁11が差し伸べ形成されており、このヒンジ梁11の上面にはアンダーポールＰ2 を挟持するためのアンダーフック片13が設けられている一方、上部にはアッパーポールＰ1 を挟持するためのアッパーフック片12が設けられている。
【００１８】
そして、一対のプラスチック支柱１・１のヒンジ梁11・11の端部同士をヒンジ連結し
て、図２に示すように当該両支柱１・１の上部側を相寄り状態に衝合させたとき前記アッパーフック片12・12はアッパーグリップ部Ｕを、同時に前記アンダーフック片13・13はアンダーグリップ部Ｄを形成する。
【００１９】
こうして形成されるアッパーグリップ部ＵにおいてアッパーポールＰ1 を、また、アンダーグリップ部ＤにおいてアンダーポールＰ2 をそれぞれ挟持し、一対の支持脚が各ポールの端部をそれぞれ挟持することによって上下２本のポールを横架することができ、図３に示すような本実施形態のバリケードが完成される。
【００２０】
また、前記グリップ部Ｕ・Ｄを形成する一方側のフック片12・13の上端近傍には係止レバー21を設けて他方側の係止凹部22に係合可能な係止ストッパー機構２を構成する。この係止ストッパー機構２は、横長板状の係止レバー21の一端が一方のプラスチック支柱１に保持されており、この係止レバー21の他端を他方の係止凹部に係合することによって一対の支柱１・１の開閉動を制限して、支持脚の上部における衝合状態を保持することができる。
【００２１】
更にまた、液体や粒状体などの加重物の充填口となる注入口14を側壁部に開設し、支持脚を使用する際に、この支持脚を構成するそれぞれのプラスチック支柱１の側壁部に開設した注入口14から加重物として水を充填する。すると、不使用時は軽量であっても、支柱の内空部に充填した加重物により安定配置が可能になる。前記加重物として、水を用いることが多いけれども、水よりも比重の大きい砂などの粒状体を使用しても良い。
【００２２】
『第２実施形態』
次に、本発明の第２実施形態を図４に基いて説明する。本実施形態では、第１実施形態における支持脚に多くの機能を追加して使い勝手を良くすべく構成するものである。
【００２３】
まず、アッパーフック片12の凹部12ａおよびアンダーフック片13の凹部13ａに滑り止め材３を固定する。本実施形態では、滑り止め材３は凹部カーブに沿う形状に作製された金属製プレートを採用し、エッジ部分には歯形状の凹凸が形成されている。これによって各ポールがズレたりして抜け落ちることを防止し、より強固に挟持することができる。
【００２４】
また、プラスチック支柱１の周壁の少なくとも一部に高輝度反射材４を付設する。本実施形態では、支柱１の上下方向に亙るライン状を呈しており、夜間ライトが照射されることにより高輝度反射して注意を喚起し、付近を通行する者に対する安全性を向上させることができる。
【００２５】
『第３実施形態』
次に、本発明の第３実施形態を図５に基いて説明する。本実施形態では、支持脚を構成する一対のプラスチック支柱１・１を同一形状に作製する。このように同一形状に作製することによって、支柱１を成形するための金型が１つで良いので、大幅にコストダウンすることができ、また、左右の向きを確認しなくとも簡単に組み立てることができるので、現場での労力を軽減することができる。
【００２６】
本発明は概ね上記のように構成されるが、本発明は図示の実施例に限定されるものでは決してなく、「特許請求の範囲」の記載内において種々の変更が可能であって、例えば、滑り止め材３の使用材料は金属製プレートに限らず、合成ゴムなどを張り付けても良く、また、プラスチック支柱１に加重物を充填すべく側壁部に開設した注入口14に対応して、底面に加重物を排出すべく排出口を開設しても良く、何れのものも本発明の技術的範囲に属する。
【００２７】
【発明の効果】
以上実施形態を挙げて説明したとおり、本発明にあっては、プラスチックで作製したことによって軽量化し、かつ、クランプなどの煩わしい連結部材を必要としない一対のフック片による挟持方法を採用したので、作業者の安全性を向上すると共に、労力を軽減することができる。また、一対の支柱で構成して組立・分解が非常に簡単にできることから、運搬や格納・保管の際の取り扱い易さが飛躍的に向上するものであり、産業上における利用価値は頗る高いものがあると云える。
【図面の簡単な説明】
【図１】本発明の第１実施形態の支持脚を表わす正面図である。
【図２】本発明の第１実施形態の支持脚の上部の衝合状態を表わす正面図である。
【図３】本発明の第１実施形態の支持脚を使用したバリケードを表わす全体斜視図である。
【図４】本発明の第２実施形態の支持脚を表わす斜視図である。
【図５】本発明の第３実施形態の支持脚を表わす正面図である。
【符号の説明】
１    プラスチック支柱
11  ヒンジ梁
12  アッパーフック片
12ａ  凹部
Ｕ    アッパーグリップ部
Ｐ1   アッパーポール
13  アンダーフック片
13ａ  凹部
Ｄ    アンダーグリップ部
Ｐ2   アンダーポール
14  注入口
２    係止ストッパー機構
21  係止レバー
22  係止凹部
３    滑り止め材
４    高輝度反射材
【図１】
0003585850.tif 000002
【図２】
0003585850.tif 000003
【図３】
0003585850.tif 000004
【図４】
0003585850.tif 000005
【図５】
0003585850.tif 000006